(57)【特許請求の範囲】
【請求項１】
受信した入力信号系列の複素ベースバンド信号の実部虚部それぞれと上記入力信号系列に含まれる参照信号系列の相互相関を計算する相関器と、
予め参照信号系列を含む入力信号系列について参照信号系列以外の部分を０とした複素ベースバンド信号の実部虚部それぞれと参照信号系列の相互相関を計算して得られた擬似エコー成分を示す複素ベクトルを記憶しておき、上記相関器により算出された複素相関値からパワーがピークの複素相関値を検出し、検出した複素相関値を所定のシンボル遅延させ、上記擬似エコー成分を示す複素ベクトルを上記遅延させた複素相関値に乗算し、上記擬似エコー成分を示す複素ベクトルが乗算された複素相関値を上記相関器により算出された元の複素相関値と加算する処理を行う演算処理部とを備える擬似エコーキャンセル処理装置。
【請求項２】
上記演算処理部は、上記相関器により算出された複素相関値のパワーを計算するパワー計算部と、上記パワー計算部により算出された上記複素相関値のパワーのピークを検出するピーク検出部と、上記ピーク検出部により検出されたピークにおける上記複素相関値を記憶する記憶部と、上記記憶部に記憶した複素相関値を所定のシンボル遅延させる遅延部と、予め参照信号系列を含む入力信号系列について参照信号系列以外の部分を０とした複素ベースバンド信号の実部虚部それぞれと参照信号系列の相互相関を計算して得られた擬似エコー成分を示す複素ベクトルを記憶した複素ベクトル記憶部と、上記複素ベクトル記憶部により与えられる上記擬似エコー成分を示す複素ベクトルを上記遅延部により遅延された複素相関値に乗算する乗算部と、上記乗算部により上記擬似エコー成分を示す複素ベクトルが乗算された複素相関値を上記相関器により算出された元の複素相関値と加算する加算部とからなる請求項１記載の擬似エコーキャンセル処理装置。
【請求項３】
上記演算処理部は、上記相関器により算出された複素相関値を記憶する記憶手段と、予め参照信号系列を含む入力信号系列について参照信号系列以外の部分を０とした複素ベースバンド信号の実部虚部それぞれと参照信号系列の相互相関を計算して得られた擬似エコー成分を示す複素ベクトルを記憶しておき、上記記憶手段に記憶された複素相関値からパワーがピークの複素相関値を検出し、検出した複素相関値を所定のシンボル遅延させ、上記擬似エコー成分を示す複素ベクトルを上記遅延させた複素相関値に乗算し、上記擬似エコー成分を示す複素ベクトルが乗算された複素相関値を上記相関器により算出された元の複素相関値と加算する処理を行う演算処理手段とからなる請求項１記載の擬似エコーキャンセル処理装置。
【請求項４】
上記相関器は、米国デジタル放送ＡＴＳＣ（Ａｄｖａｎｃｅｄ  Ｔｅｌｅｖｉｓｉｏｎ  Ｓｕｂ  Ｃｏｍｍｉｔｔｅｅ）規格で規定された残留側波帯（ＶＳＢ：Ｖｅｓｔｉｇｉａｌ  Ｓｉｄｅ  Ｂａｎｄ）信号を受信した入力信号系列の複素ベースバンド信号の実部虚部それぞれと上記入力信号系列に参照信号系列として含まれるＰＮ（Ｐｓｅｕｄｏ−ｒａｎｄｏｍ  Ｎｕｍｂｅｒ）５１１シーケンスの相互相関を計算するＰＮ５１１相関器である請求項１乃至請求項３のいずれか１項に記載の擬似エコーキャンセル処理装置。
【請求項５】
予め参照信号系列を含む入力信号系列について参照信号系列以外の部分を０とした複素ベースバンド信号の実部虚部それぞれと参照信号系列の相互相関を計算して得られた擬似エコー成分を示す複素ベクトルを記憶しておき、
受信した入力信号系列の複素ベースバンド信号の実部虚部それぞれと上記入力信号系列に含まれる参照信号系列の相互相関を算出し、
上記算出した複素相関値からパワーがピークの複素相関値を検出し、
上記検出した複素相関値を所定のシンボル遅延させ、
上記擬似エコー成分を示す複素ベクトルを上記遅延させた複素相関値に乗算し、
上記擬似エコー成分を示す複素ベクトルが乗算された複素相関値と、上記算出した元の複素相関値とを加算する擬似エコーキャンセル処理方法。
【請求項６】
目的のデジタル放送信号を受信してベースバンドＶＳＢ信号を得る処理を行う受信処理部と、
上記受信処理部により得られるベースバンドＶＳＢ信号に対して擬似エコーをキャンセルする処理を施す擬似エコーキャンセル処理部とを備え、
上記擬似エコーキャンセル処理部は、上記受信処理部により得られるベースバンドＶＳＢ信号について、入力信号系列の複素ベースバンド信号の実部虚部それぞれと上記入力信号系列に含まれる参照信号系列の相互相関を計算する相関器と、予め参照信号系列を含む入力信号系列について参照信号系列以外の部分を０とした複素ベースバンド信号の実部虚部それぞれと参照信号系列の相互相関を計算して得られた擬似エコー成分を示す複素ベクトルを記憶しておき、上記相関器により算出された複素相関値からパワーがピークの複素相関値を検出し、検出した複素相関値を所定のシンボル遅延させ、上記擬似エコー成分を示す複素ベクトルを上記遅延させた複素相関値に乗算し、上記擬似エコー成分を示す複素ベクトルが乗算された複素相関値を上記相関器により算出された元の複素相関値と加算する処理を行う演算処理部とからなるデジタル放送受信装置。
【発明の詳細な説明】
【技術分野】
【０００１】
本発明は、擬似エコーキャンセル処理装置、擬似エコーキャンセル方法及びデジタル放送受信装置に関する。
【背景技術】
【０００２】
最近、デジタルＴＶ（ＤＴＶ：Ｄｉｇｉｔａｌ Ｔｅｌｅｖｉｓｉｏｎ）分野では強靭なＤＴＶ受信機やデジタルセットトップボックスに関する研究が多く行われている。米国デジタル放送ＡＴＳＣ（Ａｄｖａｎｃｅｄ Ｔｅｌｅｖｉｓｉｏｎ Ｓｕｂ Ｃｏｍｍｉｔｔｅｅ）規格では、ＤＴＶ信号送信のための残留側波帯（ＶＳＢ：Ｖｅｓｔｉｇｉａｌ Ｓｉｄｅ Ｂａｎｄ）信号を規定している。
【０００３】
ＤＴＶに伝送されるＶＳＢデータフレームは、図１に示すように、二つのフィールドを備える。一つのフィールドは、３１３個のセグメントよりなり、各フィールドの最初のセグメントがフィールド同期信号である。フィールド同期信号は、８３２シンボルを備え、最初４シンボルは図２に示されるように＋５、−５、−５、＋５レベルを有するセグメント同期信号である。
【０００４】
セグメント同期信号は、各セグメントの初めを知らす信号である。フィールド同期信号は、８３２シンボルのうち最初４シンボルであるセグメント同期信号を除外した残りの８２８シンボルを意味する。
【０００５】
フィールド同期信号は、データフィールド（ｄａｔａ＋ＦＥＣ（Ｆｏｒｗａｒｄ Ｅｒｒｏｒ Ｃｏｒｒｅｃｔｉｏｎ））の開始点を表し、チャンネル等化器の基準信号として使われ、ＮＴＳＣ除去フィルタ（ＮＦＲ：ＮＴＳＣ Ｒｅｊｅｃｔｉｏｎ Ｆｉｌｔｅｒ）を使用するか否かを決定する基準信号として使われる。
【０００６】
またチャンネル特性を確認するのに使われ、位相追跡器のループパラメータを決定するのに使われることもある。
【０００７】
フィールド同期信号は、その具体的な構造を図２に示すように、ＰＮ（Ｐｓｅｕｄｏ−ｒａｎｄｏｍ Ｎｕｍｂｅｒ）５１１シーケンス、ＰＮ６３シーケンス、ＶＳＢｍｏｄｅ、ＲＥＳＥＲＶＥＤのようなシーケンスを有している。ＰＮ５１１シーケンスは、チャンネル等化器のためのトレーニングシーケンスとして使われる５１１シンボルレングスのシーケンスである。
【０００８】
ＰＮ６３シーケンスも、ＰＮ５１１シーケンスと同様にチャンネル等化器のためのトレーニングシーケンスである。ＰＮ６３シーケンスは、一つのフレーム内で最初のフィールドであるか二番目のフィールドであるかを区別するために、３つのＰＮ６３シーケンスのうちのＰＮ６３シーケンスの符号極性が毎フィールドごとに反対に変わる。
【０００９】
ＶＳＢｍｏｄｅは、２４シンボルレングスのシーケンスであり、現在伝送されているデータの伝送モードを表す。すなわち、データ伝送方式が１５ＶＳＢ方式であるか、８ＶＳＢ方式であるかを表す。ＲＥＳＥＲＶＥＤは、予備空間として残した１０４シンボルレングスの空間である。
【００１０】
一つのキャリアを有するＶＳＢ信号形式の地上波放送信号は、多重経路下でＤＴＶ受信機によって受信され難いので、多重経路下でＶＳＢ信号を受信できる堅固な受信システムは必須的である。ＶＳＢ信号を受信するためにはフィールド同期信号またはセグメント同期信号の正確な受信が必要であり、同期信号を正確に受信するための各種提案がなされている。
【００１１】
【特許文献１】特開０４−２４２３２５号公報
【特許文献２】特開２００５−３３３３００号公報
【特許文献３】特開２００６−２０３４８５号公報
【発明の開示】
【発明が解決しようとする課題】
【００１２】
上述の如く、米国デジタル放送ＡＴＳＣ規格においては、同期信号としてフィールド同期信号が送信されており、フィールド同期信号内の擬似乱数信号系列ＰＮ５１１と受信信号系列の相互相関を計算することで、伝送チャネルの推定を行うことが一般的に行われている。また、位相回転したマルチパスの推定のためには，この相互相関の計算をＩＱ両方に対して行うことが必要である。
【００１３】
しかし、図３に示すような原理モデルで、フィールド同期信号以外の部分を０にしたベースバンドＶＳＢ信号とＰＮ５１１の相互相関を計算すると、図４に示すように、主波から１５０シンボル以上離れると、−３０ｄＢ〜−２０ｄＢ程度の擬似エコーが発生する。特に、主波から３６６，３６７，３６８シンボル離れたそれぞれの位置には−２０ｄＢ〜−１５ｄＢ程度の比較的大きな擬似エコーが発生する。ここで、図３のＶＳＢフィルタ２０１はシンボル周波数の１／４を中心とするレイズドコサインフィルタであり、ＰＮ５１１相関器２０２、２０３はＰＮ５１１の時間反転を±１の係数で持つＦＩＲフィルタである。また、図４のｆｉｅｌｄ１は第二のＰＮ６３を反転していないフィールド同期信号、ｆｉｅｌｄ２は、第二のＰＮ６３を反転したフィールド同期信号に対するＰＮ５１１の相関値である。
【００１４】
この擬似エコーは、フィールド同期信号内のＰＮ５１１以外の規定のシンボルとＰＮ５１１が相関を持つために発生するものである上、図５に示すように、第二のＰＮ６３を反転したｆｉｅｌｄ１とｆｉｅｌｄ２を加算しても残るものであり，複数フィールドを加算してもキャンセルすることはできない。
【００１５】
このため、ＡＴＳＣ規格のＰＮ５１１を用いたチャネル推定では、原理的に３００シンボル程度以上離れた−１５ｄＢ前後のマルチパスを発見することが困難である。
【００１６】
そこで、本発明の目的は、上述の如き従来の問題点に鑑み、擬似エコーの影響を受けない精度の良いチャネル推定を可能にした擬似エコーキャンセル処理装置、擬似エコーキャンセル方法及びデジタル放送受信装置を提供することにある。
【００１７】
本発明の更に他の目的、本発明によって得られる具体的な利点は、以下に説明される実施の形態の説明から一層明らかにされる。
【課題を解決するための手段】
【００１８】
本発明では、発見されたパワーの大きい相関値のＩＱ信号に対して、原理モデルから計算される複素ベクトルを複素乗算し、所定のシンボル後の相関値に加算することにより、擬似エコーの影響をキャンセルする。
【００１９】
すなわち、本発明に係る擬似エコーキャンセル処理装置は、受信した入力信号系列の複素ベースバンド信号の実部虚部それぞれと上記入力信号系列に含まれる参照信号系列の相互相関を計算する相関器と、予め参照信号系列を含む入力信号系列について参照信号系列以外の部分を０とした複素ベースバンド信号の実部虚部それぞれと参照信号系列の相互相関を計算して得られた擬似エコー成分を示す複素ベクトルを記憶しておき、上記相関器により算出された複素相関値からパワーがピークの複素相関値を検出し、検出した複素相関値を所定のシンボル遅延させ、上記擬似エコー成分を示す複素ベクトルを上記遅延させた複素相関値に乗算し、上記擬似エコー成分を示す複素ベクトルが乗算された複素相関値を上記相関器により算出された元の複素相関値と加算する処理を行う演算処理部とを備えることを特徴とする。
【００２０】
本発明に係る擬似エコーキャンセル処理装置において、上記演算処理部は、例えば、上記相関器により算出された複素相関値のパワーを計算するパワー計算部と、上記パワー計算部により算出された上記複素相関値のパワーのピークを検出するピーク検出部と、上記ピーク検出部により検出されたピークにおける上記複素相関値を記憶する記憶部と、上記記憶部に記憶した複素相関値を所定のシンボル遅延させる遅延部と、予め参照信号系列を含む入力信号系列について参照信号系列以外の部分を０とした複素ベースバンド信号の実部虚部それぞれと参照信号系列の相互相関を計算して得られた擬似エコー成分を示す複素ベクトルを記憶した複素ベクトル記憶部と、上記複素ベクトル記憶部により与えられる上記擬似エコー成分を示す複素ベクトルを上記遅延部により遅延された複素相関値に乗算する乗算部と、上記乗算部により上記擬似エコー成分を示す複素ベクトルが乗算された複素相関値を上記相関器により算出された元の複素相関値と加算する加算部とからなる。
【００２１】
また、本発明に係る擬似エコーキャンセル処理装置において、上記演算処理部は、例えば、上記相関器により算出された複素相関値を記憶する記憶手段と、予め参照信号系列を含む入力信号系列について参照信号系列以外の部分を０とした複素ベースバンド信号の実部虚部それぞれと参照信号系列の相互相関を計算して得られた擬似エコー成分を示す複素ベクトルを記憶しておき、上記記憶手段に記憶された複素相関値からパワーがピークの複素相関値を検出し、検出した複素相関値を所定のシンボル遅延させ、上記擬似エコー成分を示す複素ベクトルを上記遅延させた複素相関値に乗算し、上記擬似エコー成分を示す複素ベクトルが乗算された複素相関値を上記相関器により算出された元の複素相関値と加算する処理を行う演算処理手段とからなることを特徴とする。
【００２２】
本発明に係る擬似エコーキャンセル処理装置において、上記相関器は、例えば、米国デジタル放送ＡＴＳＣ（Ａｄｖａｎｃｅｄ Ｔｅｌｅｖｉｓｉｏｎ Ｓｕｂ Ｃｏｍｍｉｔｔｅｅ）規格で規定された残留側波帯（ＶＳＢ：Ｖｅｓｔｉｇｉａｌ Ｓｉｄｅ Ｂａｎｄ）信号を受信した入力信号系列の複素ベースバンド信号の実部虚部それぞれと上記入力信号系列に参照信号系列として含まれるＰＮ（Ｐｓｅｕｄｏ−ｒａｎｄｏｍ Ｎｕｍｂｅｒ）５１１シーケンスの相互相関を計算する ＰＮ５１１相関器である。
【００２３】
本発明に係る擬似エコーキャンセル方法は、予め参照信号系列を含む入力信号系列について参照信号系列以外の部分を０とした複素ベースバンド信号の実部虚部それぞれと参照信号系列の相互相関を計算して得られた擬似エコー成分を示す複素ベクトルを記憶しておき、受信した入力信号系列の複素ベースバンド信号の実部虚部それぞれと上記入力信号系列に含まれる参照信号系列の相互相関を算出し、上記算出した複素相関値からパワーがピークの複素相関値を検出し、上記検出した複素相関値を所定のシンボル遅延させ、上記擬似エコー成分を示す複素ベクトルを上記遅延させた複素相関値に乗算し、上記擬似エコー成分を示す複素ベクトルが乗算された複素相関値と、上記算出した複素相関値とを加算することを特徴とする。
【００２４】
本発明は、目的のデジタル放送信号を受信してベースバンドＶＳＢ信号を得る処理を行う受信処理部と、上記受信処理部により得られるベースバンドＶＳＢ信号に対して擬似エコーをキャンセルする処理を施す擬似エコーキャンセル処理部を備えるデジタル放送受信装置であって、上記擬似エコーキャンセル処理部は、上記受信処理部により得られるベースバンドＶＳＢ信号について、入力信号系列の複素ベースバンド信号の実部虚部それぞれと上記入力信号系列に含まれる参照信号系列の相互相関を計算する相関器と、予め参照信号系列を含む入力信号系列について参照信号系列以外の部分を０とした複素ベースバンド信号の実部虚部それぞれと参照信号系列の相互相関を計算して得られた擬似エコー成分を示す複素ベクトルを記憶しておき、上記相関器により算出された複素相関値からパワーがピークの複素相関値を検出し、検出した複素相関値を所定のシンボル遅延させ、上記擬似エコー成分を示す複素ベクトルを上記遅延させた複素相関値に乗算し、上記擬似エコー成分を示す複素ベクトルが乗算された複素相関値を上記相関器により算出された元の複素相関値と加算する処理を行う演算処理部とからなることを特徴とする。
【発明の効果】
【００２５】
本発明では、予め参照信号系列を含む入力信号系列について参照信号系列以外の部分を０とした複素ベースバンド信号の実部虚部それぞれと参照信号系列の相互相関を計算して得られた擬似エコー成分を示す複素ベクトルを記憶しておくことにより、擬似エコーを確実にキャンセルして、擬似エコーの影響を受けない精度の良いチャネル推定が可能になる。
【００２６】
また、本発明では、パワーの大きな相関値から擬似エコーを求めてキャンセルするため、仮に擬似エコーの位置に本当のマルチパスが存在した場合でも、正しく検出することができる。
【発明を実施するための最良の形態】
【００２７】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００２８】
本発明は、例えば図６に示すような構成のデジタル放送受信装置１００に適用される。
【００２９】
このデジタル放送受信装置１００は、米国デジタル放送ＡＴＳＣ（Ａｄｖａｎｃｅｄ Ｔｅｌｅｖｉｓｉｏｎ Ｓｕｂ Ｃｏｍｍｉｔｔｅｅ）規格で規定された残留側波帯（ＶＳＢ：Ｖｅｓｔｉｇｉａｌ Ｓｉｄｅ Ｂａｎｄ）信号を受信するものであって、アンテナ１を介して目的のデジタル放送信号を受信してベースバンドＶＳＢ信号を得る処理を行う受信処理部１０と、上記受信処理部１０により得られるベースバンドＶＳＢ信号に対して擬似エコーをキャンセルする処理を施す擬似エコーキャンセル処理部２０を備える。
【００３０】
上記受信処理部１０は、チューナ部１１、Ａ／Ｄ変換器１２、ＩＱ変換部１３、タイミング再生部１４、搬送波再生部１５、整合フィルタ部１６などからなる。
【００３１】
この受信処理部１０において、チューナ部１１は、アンテナ１を介して目的のデジタル放送信号を受信して中間周波数（ＩＦ）信号に変換し、ＩＦ信号をＡ／Ｄ変換器１２に供給する。
【００３２】
上記チューナ部１１により得られた目的のデジタル放送信号のＩＦ信号は、Ａ／Ｄ変換器１２によりデジタル化され、デジタルＩＦ信号としてＩＱ変換部１３に供給される。
【００３３】
ＩＱ変換部１３は、Ａ／Ｄ変換器１２から供給されるデジタルＩＦ信号を複素信号に変換することにより得られるベースバンド信号のＩＱ信号をタイミング再生部１４、搬送波再生部１５６を介して整合フィルタ部１６に供給する。
【００３４】
上記ＩＱ変換部１３より得られるベースバンド信号のＩＱ信号は、タイミング再生部１４、搬送波再生部１５により送信側のシンボルタイミング及び搬送波とそれぞれ同期した後、整合フィルタ部１０５を通ってベースバンドＶＳＢ信号のＩＱ信号となる。
【００３５】
また、上記擬似エコーキャンセル処理部２０は、２つのＰＮ５１１相関器２１Ｉ，２１Ｑ、パワー計算部２２、ピーク検出部２３、記憶部２４、遅延部２５、乗算部２６、複素ベクトルバンク２７及び２つの加算器２８Ｉ，２８Ｑなどからなる。
【００３６】
２つのＰＮ５１１相関器２１Ｉ，２１Ｑは、上記受信処理部１０により得られるベースバンドＶＳＢ信号のＩＱ信号とＰＮ５１１との相互相関を計算し、その計算結果して得られる複素相関値ＩＱをパワー計算部２２、記憶部２４及び２つの加算器２８Ｉ，２８Ｑに供給する。
【００３７】
パワー計算部２２は、上記２つのＰＮ５１１相関器２１Ｉ，２１Ｑにより得られる複素相関値ＩＱについて、その実部Ｉの二乗と虚部Ｑの二乗を加算するパワー計算を行う。
【００３８】
ピーク検出部２３は、上記パワー計算部２１により算出される複素相関値ＩＱのパワーのピークを検出する。
【００３９】
そして、上記ピーク検出部２３でピークが検出された時点で、そのシンボルの複素相関値ＩＱを記憶部２４に記憶する。この記憶部２４から読み出される複素相関値ＩＱは、遅延部２５で所定のシンボル遅延されて乗算部２６に供給され、この乗算部２６において、複素ベクトルバンク２７から読み出される遅延量と対応する複素ベクトルを複素乗算される。
【００４０】
ここで、複素ベクトルバンク２７には、フィールド同期信号以外の部分を０にしたベースバンドＶＳＢ信号とＰＮ５１１の相互相関を計算して得られた擬似エコー成分を示す複素ベクトルが記憶されている。
【００４１】
上記乗算部２６における複素乗算結果として得られる複素相関値は、上記受信処理部１０により得られるベースバンドＶＳＢ信号に対する擬似エコーのキャンセル信号として、２つの加算器２８Ｉ，２８Ｑに供給され、上記２つの加算器２８Ｉ，２８Ｑにおいて、上記２つのＰＮ５１１相関器２１Ｉ，２１Ｑにより得られる複素相関値ＩＱにそれぞれ加算することで、上記受信処理部１０により得られるベースバンドＶＳＢ信号から擬似エコーをキャンセルすることができる。
【００４２】
ここで、このデジタル放送受信装置１００における擬似エコーキャンセル処理部２０の動作例を図７に示す。
【００４３】
この図７に動作例では、上記ピーク検出部２３により２シンボル目と２２シンボル目にパワーの大きい相関値が発見され、この相関値それぞれに対して、乗算部２６において、ベクトル３６６，ベクトル３６７，ベクトル３６８の複素ベクトルを乗算し、対応するシンボル数分遅延して、複素相関値と加算している。
【００４４】
なお、図７の動作例では、複素ベクトルを乗算する相関値の数は２であるが、要求される精度に応じてこの数は増やしても良い。また、最も大きい擬似エコーの例として主波から３６６，３６７，３６８シンボル離れた擬似エコーのキャンセルをあげたが，要求される精度によって，これら以外の擬似エコーに関しても上記乗算と加算を行っても良い。
【００４５】
また、原理モデルから計算した３６６，３６７，３６８シンボル遅れの擬似エコーに対する複素ベクトルを図８に示すように、擬似エコーキャンセル処理部２０が、第二のＰＮ６３の非反転・反転を検出している場合，図８の第二のＰＮ６３の非反転、第二のＰＮ６３の反転、それぞれの複素ベクトルの内、該当するものを使用することで、原理的に発生する擬似エコーを完全にキャンセルすることが可能である。
【００４６】
また、擬似エコーキャンセル処理部２０が、第二のＰＮ６３の非反転・反転を検出していない場合においても、図８に示す第二のＰＮ６３の非反転・反転平均の複素ベクトルを用いることで、実用上十分な程度擬似エコーを抑制することが可能である。
【００４７】
本発明に係る擬似エコーキャンセル処理装置は、このデジタル放送受信装置１００における擬似エコーキャンセル処理部２０である。
【００４８】
ここで、上記デジタル放送受信装置１００における擬似エコーキャンセル処理部２０に代えて、例えば図９に示すような構成の擬似エコーキャンセル処理部３０を用いることもきる。
【００４９】
この擬似エコーキャンセル処理部３０では、上記受信処理部１０により得られるベースバンドＶＳＢ信号のＩＱ信号とＰＮ５１１との相互相関をＰＮ５１１相関器３１Ｉ，３１Ｑにより計算し、その計算結果して得られる複素相関値ＩＱを一旦メモリ３２に格納して、上述のピーク検出、ピーク相関値への複素ベクトル乗算、乗算結果と所定シンボル後の相関値の加算を行う処理は、コンピュータＣＰＵ３３によるソフトウェア処理で行う。
【００５０】
なお、以上説明した本発明の実施の形態では、米国デジタル放送ＡＴＳＣ（Ａｄｖａｎｃｅｄ Ｔｅｌｅｖｉｓｉｏｎ Ｓｕｂ Ｃｏｍｍｉｔｔｅｅ）規格で規定された残留側波帯（ＶＳＢ：Ｖｅｓｔｉｇｉａｌ Ｓｉｄｅ Ｂａｎｄ）信号を受信するデジタル放送受信装置１０に本発明を適用して、擬似エコーキャンセル処理部２０，３０において、フィールド同期信号以外の部分を０にしたベースバンドＶＳＢ信号とＰＮ５１１の相互相関を計算して得られた擬似エコー成分を示す複素ベクトルを記憶しておき、上記受信処理部１０により得られるベースバンドＶＳＢ信号のＩＱ信号とＰＮ５１１との相互相関をＰＮ５１１相関器３１Ｉ，３１Ｑにより計算し、その計算結果として得られる複素相関値ＩＱについて、ピーク検出、ピーク相関値への複素ベクトル乗算、乗算結果と所定シンボル後の相関値の加算を行うことにより、擬似エコーをキャンセルしたが、本発明は、上記実施の形態のみに限定されるものでなく、他の規格のデジタル放送信号であっても、予め参照信号系列を含む入力信号系列について参照信号系列以外の部分を０とした複素ベースバンド信号の実部虚部それぞれと参照信号系列の相互相関を計算して得られた擬似エコー成分を示す複素ベクトルを記憶しておき、受信した入力信号系列の複素ベースバンド信号の実部虚部それぞれと上記入力信号系列に含まれる参照信号系列の相互相関を計算し、算出した複素相関値からパワーがピークの複素相関値を検出し、検出した複素相関値を所定のシンボル遅延させ、上記擬似エコー成分を示す複素ベクトルを上記遅延させた複素相関値に乗算し、上記擬似エコー成分を示す複素ベクトルが乗算された複素相関値を上記相関器により算出された元の複素相関値と加算することで、擬似エコーを確実にキャンセルして、擬似エコーの影響を受けない精度の良いチャネル推定が可能になる。また、パワーの大きな相関値から擬似エコーを求めてキャンセルするため、仮に擬似エコーの位置に本当のマルチパスが存在した場合でも、正しく検出することができる。
【図面の簡単な説明】
【００５１】
【図１】ＤＴＶに伝送されるＶＳＢデータフレームの構成を模式的に示す図である。
【図２】フィールド同期信号の構成を模式的に示す図である。
【図３】フィールド同期信号以外の部分を０にしたベースバンドＶＳＢ信号とＰＮ５１１の相互相関を求めるための原理モデルを示す図である。
【図４】擬似エコーの発生状況をＰＮ６３の非反転・反転それぞれについて示す図である。
【図５】擬似エコーの発生状況をＰＮ６３の非反転・反転２フィールド加算して示す図である。
【図６】本発明を適用したデジタル放送受信装置の構成を示すブロック図である。
【図７】上記デジタル放送受信装置における擬似エコーキャンセル処理部の動作例を模式的に示す図である。
【図８】原理モデルから計算した３６６，３６７，３６８シンボル遅れの擬似エコーに対する複素ベクトルを示す図である。
【図９】上記デジタル放送受信装置における擬似エコーキャンセル処理部の他の構成例を示す図である。
【符号の説明】
【００５２】
１  アンテナ、１０  受信処理部、１１  チューナ部、１２  Ａ／Ｄ変換器、１３  ＩＱ変換部、１４  タイミング再生部、１５  搬送波再生部、１６  整合フィルタ部、２０，３０  擬似エコーキャンセル処理部、２１Ｉ，２１Ｑ  ＰＮ５１１相関器、２２  パワー計算部、２３  ピーク検出部、２４  記憶部、２５  遅延部、２６  乗算部、２７  複素ベクトルバンク、２８Ｉ，２８Ｑ  加算器、３１Ｉ，３１Ｑ  ＰＮ５１１相関器、３２  メモリ、３３  コンピュータ、１００  デジタル放送受信装置
【図１】
0004433032.tif 000002
【図２】
0004433032.tif 000003
【図３】
0004433032.tif 000004
【図４】
0004433032.tif 000005
【図５】
0004433032.tif 000006
【図６】
0004433032.tif 000007
【図７】
0004433032.tif 000008
【図８】
0004433032.tif 000009
【図９】
0004433032.tif 000010